(57)【要約】【課題】無端チェンに起伏可能に取り付けた搬送爪を搬送作用域で起立させると共に非搬送作用域では倒伏させ、且つ当該無端チェンを非搬送作用域で緊張調整するチェン緊張手段を備える穀稈搬送装置において、前記チェン緊張手段による無端チェンの張力調整を速やか且つ簡単に行えるようにする。【解決手段】無端チェン３１を非搬送作用域で緊張調整するチェン緊張手段５１を、倒伏した搬送爪３０に作用しながら無端チェン３１で囲まれた空間Ｓの方向に移動可能なガイド４６と、該ガイド４６に外側から当接する位置決め部材４７と、該位置決め部材４７を位置決め操作する操作具４８により構成すると共に、前記操作具４８を操縦部１６から操作可能な位置に設けた。【選択図】図３
2006254757.tif 000002
【特許請求の範囲】
【請求項１】
搬送爪（３０）を起伏可能に取り付けた無端チェン（３１）と、前記搬送爪（３０）を搬送作用域で起立させるレール（４５）と、前記無端チェン（３１）を非搬送作用域で緊張調整するチェン緊張手段（５１）を備えるコンバインの穀稈搬送装置において、前記チェン緊張手段（５１）を、倒伏した搬送爪（３０）に作用しながら無端チェン（３１）で囲まれた空間（Ｓ）の方向に移動可能なガイド（４６）と、該ガイド（４６）に外側から当接する位置決め部材（４７）と、該位置決め部材（４７）を位置決め操作する操作具（４８）により構成したことを特徴とするコンバインの穀稈搬送装置。
【請求項２】
前記操作具（４８）を操縦部（１６）から操作可能な位置に設けたことを特徴とする請求項１に記載のコンバインの穀稈搬送装置。
【発明の詳細な説明】
【技術分野】
【０００１】
本発明は、刈刃で刈取った穀稈を脱穀部に向けて搬送するコンバインの前処理部における穀稈搬送装置に関する。
【背景技術】
【０００２】
従来、引起装置によって引き起した穀稈を刈刃で刈取りながら脱穀部まで搬送する前処理部（刈取部）を備えるコンバインにおいては、無端チェンに起伏可能に取り付けられた搬送爪を、その搬送作用域で起立状態に維持するガイドレールと、前記無端チェンに対して非搬送作用域で緊張作用する緊張手段とを備える穀稈搬送装置が設けられており、更に前記緊張手段を、倒伏状態にある搬送爪の複数に亘って作用するレールと、該レールを無端チェンで囲まれた空間の内側方向に押圧付勢する付勢手段とから構成したものが知られている（例えば、特許文献１参照。）。
【特許文献１】特許第２９５３８８６号公報（第２頁、図２）
【発明の開示】
【発明が解決しようとする課題】
【０００３】
しかし、上述した従来のものは、無端チェンに対して非搬送作用域で緊張作用する緊張手段が、倒伏状態にある搬送爪の複数に亘って作用するレールと、このレールを無端チェンで囲まれた空間の内側方向に引張スプリング等を介して常時押圧付勢する構成のものであり、搬送爪を介して無端チェンが強制的に押圧されるので、当該搬送爪の早期の摩耗や無端チェンの早期の伸びが生じ易く、それによって無端チェンのチェン飛びが発生して穀稈の搬送不良の発生や、振動騒音が大きくなるといった不具合を有していた。更に、前記不具合が発生した際、速やかに無端チェンの張力調整を行うことができなかった。
【課題を解決するための手段】
【０００４】
本発明は、上記課題を解決することを目的としたものであって、搬送爪を起伏可能に取り付けた無端チェンと、前記搬送爪を搬送作用域で起立させるレールと、前記無端チェンを非搬送作用域で緊張調整するチェン緊張手段を備えるコンバインの穀稈搬送装置において、前記チェン緊張手段を、倒伏した搬送爪に作用しながら無端チェンで囲まれた空間の方向に移動可能なガイドと、該ガイドに外側から当接する位置決め部材と、該位置決め部材を位置決め操作する操作具により構成したことを第１の特徴としている。
【０００５】
そして、前記操作具を操縦部から操作可能な位置に設けたことを第２の特徴としている。
【発明の効果】
【０００６】
請求項１の発明によれば、搬送爪を起伏可能に取り付けた無端チェンと、前記搬送爪を搬送作用域で起立させるレールと、前記無端チェンを非搬送作用域で緊張調整するチェン緊張手段を備えるコンバインの穀稈搬送装置において、前記チェン緊張手段を、倒伏した搬送爪に作用しながら無端チェンで囲まれた空間の方向に移動可能なガイドと、該ガイドに外側から当接する位置決め部材と、該位置決め部材を位置決め操作する操作具により構成したので、前記無端チェンの非搬送作用域で搬送爪を介して無端チェンを強制的に押圧することなく、当該無端チェンの緊張調整が可能であり、それによって前記搬送爪の早期の摩耗が起こり難くなる。また、前記無端チェンの伸びによるチェン飛びが発生して、穀稈の搬送不良や振動騒音が大きくなった場合は、前記チェン緊張手段による無端チェンの張力調整を速やか且つ最適に行うことができるようになる。
【０００７】
そして、請求項２の発明によれば、前記操作具を操縦部から操作可能な位置に設けたことによって、当該操作具による無端チェンの緊張調整を、運転操縦中のオペレータが操縦部から離れることなく容易に行うことができる。
【発明を実施するための最良の形態】
【０００８】
以下、本発明の実施形態を図面に基づいて説明する。図１は、コンバイン１０の側面図、図２は、平面図であって、該コンバイン１０は、左右一対のクローラ走行装置１１に機体フレーム１２を支持すると共に、機体フレーム１２の前方には、穀稈を刈取りながら脱穀部１３まで搬送する前処理部１４を備えている。また、機体フレーム１２上の右側前部には、オペレータが着座する運転席１５と各種の操作具とを備える操縦部１６を配置すると共に、その後方且つ脱穀部１３の側方には、選別済みの穀粒を一時的に貯留する穀粒タンク１７を設けている。
【０００９】
そして、運転席１５の左側方には、刈刃１８によって刈取られた穀稈を脱穀部１３に搬送する中継搬送装置１９を設けると共に、脱穀部１３の左側方には、穀稈を図示しない扱室に供給するフイードチェン２１を設けている。
【００１０】
更に詳しくは、前処理部１４は、圃場内の穀稈を引起装置２２によって引起した穀稈を刈刃１８で刈取り、刈取った後の穀稈を掻き込みながら後方に送るスターホイル２３、及び該スターホイル２３と一体回転する係止爪付掻き込みベルト２４と、これらスターホイル２３と掻き込みベルト２４から送られる穀稈を搬送する中継搬送装置１９と前処理搬送装置２５を備えている。
【００１１】
そして、前処理搬送装置２５は、スターホイル２３から送られる穀稈の株元側を受け継ぎ搬送する左側の株元側搬送チェン２６Ｌと、掻き込みベルト２４から送られる穀稈の穂先側を受け継ぎ搬送する穂先側搬送体２７によって構成されている。
【００１２】
穂先側搬送体２７は、穀稈搬送用の起伏可能な搬送爪２８をチェンに取り付けた搬送チェンからなり、穀稈の搬送作用部において、搬送方向への当該チェンの回転によって図示しないガイドを介して搬送爪２８が引起され、この搬送爪２８に穀稈の穂先側が係止して後方に搬送されるようになっている。
【００１３】
また、引起装置２２は、上下方向に回転する図示しない搬送チェンに取り付けた起伏可能な搬送爪２９を備え、穀稈の引起作用部において、引起方向への当該搬送チェンの回転によって図示しないガイドを介して搬送爪２９が引起され、この搬送爪２９に穀稈が係止しながら引起されるようになっている。
【００１４】
また、中継搬送装置１９は、スターホイル２３から送られる穀稈の株元側を受け継ぎ搬送する右側の株元側搬送チェン２６Ｒと、前処理搬送装置２５の穂先側搬送体２７から穂先側を受け継いで脱穀部１３側まで搬送する起伏可能な搬送爪３０を備えた無端（搬送）チェン３１（図３参照）からなる中継穂先搬送体３２と、前処理搬送装置２５の左側の株元側搬送チェン２６Ｌから穀稈の株元側を受け継いで上下揺動しながら扱ぎ深さ調節を行う扱深搬送装置３３と、この扱深搬送装置３３から穀稈の株元側を受け継いでフイードチェン２１に搬送する中継株元搬送チェン３４を備えている。
【００１５】
そして、フイードチェン２１に搬送された穀稈を、図示しない扱室に供給して穀粒を脱穀すると共に、選別済みの穀粒を一時的に穀粒タンク１７に貯留することによって、コンバイン１０による一連の穀稈の刈り取り及び脱穀作業を行うことができるようになっている。
【００１６】
また、図３及び図４に示すように、中継穂先搬送体３２は、駆動スプロケット４１と三個の遊転スプロケット４２，４３，４４に亘って無端チェン３１を巻回し、この無端チェン３１に樹脂製の搬送爪３０を起伏可能に取付けると共に、搬送爪３０を搬送作用域で起立させる案内体であるレール４５と、搬送爪３０を非搬送作用域で倒伏させる作用部４６ａを備えるバネ鋼からなるプレート状のガイド４６を設けている。
【００１７】
詳述すると、前記ガイド４６を、駆動スプロケット４１と三個の遊転スプロケット４２，４３，４４の各歯元部を結ぶ接線Ｌ（図３参照）の内側において、中継穂先搬送体３２の図示しないフレームに設けた支点Ｐ１を回動中心として、無端チェン３１で囲まれた空間Ｓの方向に移動（揺動）可能に支持すると共に、当該ガイド４６の外側（背面側）Ｂに当接するプレート状の位置決め部材４７と、この位置決め部材４７を位置決め操作する棒状の操作具４８を備えている。
【００１８】
そして、ガイド４６の外側Ｂに当接するプレート状の位置決め部材４７は、その基端側を、中継穂先搬送体３２の図示しないフレームに設けた支点Ｐ２を回動中心として回動可能に支持すると共に、当該位置決め部材４７に棒状の操作具４８が固設（螺設）してあり、上述したガイド４６と、該ガイド４６に外側から当接する位置決め部材４７と、該位置決め部材４７を位置決め操作する操作具４８によって、無端チェン３１を非搬送作用域で緊張調整するチェン緊張手段５１を構成している。
【００１９】
更に、操作具４８は、操縦部１６から操作可能な位置に設けてあり、中継穂先搬送体３２の図示しないフレームに固設した係止部材５２に設けた複数の切欠き５２ａ・・に、当該操作具４８を選択的に係止させることによって、無端チェン３１の段階的な緊張調整を
、運転操縦中のオペレータが操縦部１６から離れることなく容易に行うことができるように構成している。
【００２０】
即ち、上述した構成によれば、搬送爪３０を起伏可能に取り付けた無端チェン３１と、前記搬送爪３０を搬送作用域で起立させるレール４５と、前記無端チェン３１を非搬送作用域で緊張調整するチェン緊張手段５１を備えるコンバインの穀稈搬送装置（中継穂先搬送体３２）において、前記チェン緊張手段５１を、倒伏した搬送爪３０に作用しながら無端チェン３１で囲まれた空間Ｓの方向に移動可能なガイド４６と、該ガイド４６に外側から当接する位置決め部材４７と、該位置決め部材４７を位置決め操作する操作具４８により構成したので、前記無端チェン３１の非搬送作用域で搬送爪３０を介して無端チェン３１を強制的に押圧することなく、当該無端チェン３１の緊張調整が可能であり、それによって前記搬送爪３０の早期の摩耗が起こり難くなる。また、前記無端チェン３１の伸びによるチェン飛びが発生して、穀稈の搬送不良や振動騒音が大きくなった場合は、前記チェン緊張手段５１による無端チェン３１の張力調整を速やか且つ最適に行うことができるようになる。
【００２１】
尚、上述したバネ鋼からなるプレート状のガイド４６を、強固な剛体に構成してもよく、その場合は、ガイド４６を位置決め操作する操作具４８を、位置決め部材４７を介さずに当該ガイド４６と一体的に形成することも可能である。
【図面の簡単な説明】
【００２２】
【図１】コンバインの側面図。
【図２】コンバインの平面図。
【図３】中継穂先搬送体の要部平面図。
【図４】搬送チェン緊張手段の斜視図。
【符号の説明】
【００２３】
１６  操縦部
３０  搬送爪
３１  無端チェン
４５  レール
４６  ガイド
４７  位置決め部材
４８  操作具
５１  チェン緊張手段
Ｓ    空間
【図１】
2006254757.tif 000003
【図２】
2006254757.tif 000004
【図３】
2006254757.tif 000005
【図４】
2006254757.tif 000006